(57)【特許請求の範囲】
【請求項１】
原稿の画像を読取る読取手段と、
この読取手段で読取られた画像情報を加工して有効画像情報のみを出力する出力手段と、
この出力手段から出力された有効画像情報を記憶する記憶手段と、
この記憶手段に記憶された有効画像情報を媒体上に像形成する像形成手段と、
この像形成手段から出力される主走査方向の同期を得るための水平同期信号と副走査方向の同期を得るための副走査方向同期信号とから、前記水平同期信号に同期して遅延する副走査方向同期信号を生成する生成手段と、
予め設定された設定値に基づいて、上記生成手段で生成された副走査方向同期信号のうちの１つを選択する選択手段と、
この選択手段で選択された副走査方向同期信号に基づいて上記記憶手段から上記像形成手段に有効画像情報を読み出す制御を行う制御手段と、
を具備したことを特徴とする画像形成装置。
【請求項２】
原稿の画像を読取る読取手段と、
この読取手段で読取られた画像情報を加工して有効画像情報のみを出力する出力手段と、
この出力手段から出力された有効画像情報を記憶する記憶手段と、
この記憶手段に記憶された有効画像情報を媒体上に像形成する像形成手段と、
この像形成手段から出力される主走査方向の同期を得るための水平同期信号と副走査方向の同期を得るための副走査方向同期信号とから、前記水平同期信号に同期して１クロックづつ遅延した副走査方向同期信号を生成する生成手段と、
予め設定された設定値に基づいて、上記生成手段で生成された１クロックづつ遅延した副走査方向同期信号のうちの１つを選択する選択手段と、
この選択手段で選択された副走査方向同期信号に基づいて上記記憶手段から上記像形成手段に有効画像情報を読み出す制御を行う制御手段と、
を具備したことを特徴とする画像形成装置。
【請求項３】
原稿の画像を読取る読取手段と、
この読取手段で読取られた画像情報を加工して有効画像情報のみを出力する出力手段と、
この出力手段から出力された有効画像情報を記憶する記憶手段と、
この記憶手段に記憶された有効画像情報を媒体上に像形成する像形成手段と、
この像形成手段から出力される１ライン毎の主走査方向の同期を得るための水平同期信号と副走査方向の同期を得るための副走査方向同期信号とから、前記水平同期信号に同期して１ライン毎に遅延した副走査方向同期信号を生成する生成手段と、
予め設定された設定値に基づいて、上記生成手段で生成された１ライン毎に遅延した副走査方向同期信号のうちの１つを選択する選択手段と、
この選択手段で選択された副走査方向同期信号に基づいて上記記憶手段から上記像形成手段に有効画像情報を読み出す制御を行う制御手段と、
を具備したことを特徴とする画像形成装置。
【請求項４】
原稿の画像を読取って記憶手段に記憶し、この記憶手段に記憶された画像情報を読み出して像形成手段で媒体上に画像を形成する画像形成方法であって、
上記原稿の画像が読取られた画像情報を加工して有効画像情報のみを出力し、
この出力された有効画像情報を上記記憶手段に記憶し、
上記像形成手段から出力される主走査方向の同期を得るための水平同期信号と副走査方向の同期を得るための副走査方向同期信号とから、前記水平同期信号に同期して遅延する副走査方向同期信号を生成し、
予め設定された設定値に基づいて、上記生成された副走査方向同期信号のうちの１つを選択し、
この選択された副走査方向同期信号に基づいて上記記憶手段から上記像形成手段に有効画像情報を読み出す制御を行うようにしたことを特徴とする画像形成方法。
【請求項５】
原稿の画像を読取って記憶手段に記憶し、この記憶手段に記憶された画像情報を読み出して像形成手段で媒体上に画像を形成する画像形成方法であって、
上記原稿の画像が読取られた画像情報を加工して有効画像情報のみを出力し、
この出力された有効画像情報を上記記憶手段に記憶し、
上記像形成手段から出力される主走査方向の同期を得るための水平同期信号と副走査方向の同期を得るための副走査方向同期信号とから、前記水平同期信号に同期して１クロックづつ遅延した副走査方向同期信号を生成し、
予め設定された設定値に基づいて、上記生成された１クロックづつ遅延した副走査方向同期信号のうちの１つを選択し、
この選択された副走査方向同期信号に基づいて上記記憶手段から上記像形成手段に有効画像情報を読み出す制御を行うようにしたことを特徴とする画像形成方法。
【請求項６】
原稿の画像を読取って記憶手段に記憶し、この記憶手段に記憶された画像情報を読み出して像形成手段で媒体上に画像を形成する画像形成方法であって、
上記原稿の画像が読取られた画像情報を加工して有効画像情報のみを出力し、
この出力された有効画像情報を上記記憶手段に記憶し、
上記像形成手段から出力される１ライン毎の主走査方向の同期を得るための水平同期信号と副走査方向の同期を得るための副走査方向同期信号とから、前記水平同期信号に同期して１ライン毎に遅延した副走査方向同期信号を生成し、
予め設定された設定値に基づいて、上記生成された１ライン毎に遅延した副走査方向同期信号のうちの１つを選択し、
この選択された副走査方向同期信号に基づいて上記記憶手段から上記像形成手段に有効画像情報を読み出す制御を行うようにしたことを特徴とする画像形成方法。
【発明の詳細な説明】
【０００１】
【発明の属する技術分野】
この発明は、画像を読取った画像データをメモリに蓄える機能を持ち、この蓄えられた画像データを用紙上に画像形成する画像形成装置に関する。
【０００２】
【従来の技術】
デジタル複写機のように画像を電気的に読取り、読取った画像データをメモリに蓄える機能を持ち、この蓄えられた画像データを用紙上に画像形成する画像形成装置においては、原稿台上全面（用紙サイズがわかっている場合には、用紙サイズ全面）のデータを蓄えていた。
【０００３】
しかしながら、読取る原稿を原稿台上に載せた場合、コーナ基準の場合は２辺が、センタ基準の場合でも１辺が原稿スケールに当たり、原稿スケール端部に影の影響である不要画像が生じる。そこでプリンタレーザ出力部では、画像データをカット（白く）する機能を用いてこの不要画像を取り除いていた。
【０００４】
ここで、プリンタ側にて画像データをカットするにもかかわらず、上記メモリコピーの場合には、全面の画像データが蓄えられており、その分、余計なメモリの蓄積量（画像データ蓄積用メモリ）を使ってしまうという不具合があった。
【０００５】
そこで、メモリコピーの場合には、前記プリントアウト時にカットする画像データは取り込まないようにすることが考えられる。すなわち、原稿台上の原稿の必要部分のみをメモリ内に蓄積し、プリントアウト時には、余白部分を考慮して蓄積した画像データを印字すれば良いわけである。
【０００６】
さて、このように有効範囲のみの画像データをメモリに蓄えた場合、この画像データを用紙（媒体）上に画像形成するわけであるが、この時に、問題があった。
【０００７】
すなわち、プリンタ部への紙搬送精度の制約により、所望の余白値に精度良く設定することができないという不具合があった。
例えば、用紙搬送スピードが２００ｍｍ／ｓｅｃの場合で、プリンタエンジン紙搬送制御ＣＰＵ（プリンタＣＰＵ）が５ｍｓｅｃ間隔の割込み制御により、紙搬送制御を行おうとした場合、紙搬送精度は、
２００ｍｍ×５ｍｓｅｃ＝１ｍｍ
で１ｍｍ刻みとなり、所望の余白を得る精度は極端に悪くなってしまう。
この紙搬送による精度の悪さは、コピーとコピーを重ねていった場合の画像位置ずれを引き起こしてゆくことになる。
【０００８】
【発明が解決しようとする課題】
上記したように、メモリコピーの場合には、原稿台上の原稿全面の画像データが蓄えられており、その分、余計なメモリ蓄積容量を使ってしまうという問題があり、また、原稿台上の原稿の必要部分のみをメモリ内に蓄積し、プリントアウト時に余白部分を考慮して蓄積した画像データを印字した場合、プリンタ部への紙搬送精度の制約により、所望の余白値に精度良く設定することができないという問題があった。
【０００９】
そこで、この発明は、メモリ蓄積容量を減らすことができると共に、メモリコピー時の画像余白を精度良く行うことのできる画像形成装置を提供することを目的とする。
【００１０】
【課題を解決するための手段】
この発明の画像形成装置は、原稿の画像を読取る読取手段と、この読取手段で読取られた画像情報を加工して有効画像情報のみを出力する出力手段と、この出力手段から出力された有効画像情報を記憶する記憶手段と、この記憶手段に記憶された有効画像情報を媒体上に像形成する像形成手段と、この像形成手段から出力される主走査方向の同期を得るための水平同期信号と副走査方向の同期を得るための副走査方向同期信号とから、前記水平同期信号に同期して遅延する副走査方向同期信号を生成する生成手段と、予め設定された設定値に基づいて、上記生成手段で生成された副走査方向同期信号のうちの１つを選択する選択手段と、この選択手段で選択された副走査方向同期信号に基づいて上記記憶手段から上記像形成手段に有効画像情報を読み出す制御を行う制御手段とから構成されている。
【００１３】
この発明の画像形成装置は、原稿の画像を読取る読取手段と、この読取手段で読取られた画像情報を加工して有効画像情報のみを出力する出力手段と、この出力手段から出力された有効画像情報を記憶する記憶手段と、この記憶手段に記憶された有効画像情報を媒体上に像形成する像形成手段と、この像形成手段から出力される主走査方向の同期を得るための水平同期信号と副走査方向の同期を得るための副走査方向同期信号とから、前記水平同期信号に同期して１クロックづつ遅延した副走査方向同期信号を生成する生成手段と、予め設定された設定値に基づいて、上記生成手段で生成された１クロックづつ遅延した副走査方向同期信号のうちの１つを選択する選択手段と、この選択手段で選択された副走査方向同期信号に基づいて上記記憶手段から上記像形成手段に有効画像情報を読み出す制御を行う制御手段とから構成されている。
【００１４】
この発明の画像形成装置は、原稿の画像を読取る読取手段と、この読取手段で読取られた画像情報を加工して有効画像情報のみを出力する出力手段と、この出力手段から出力された有効画像情報を記憶する記憶手段と、この記憶手段に記憶された有効画像情報を媒体上に像形成する像形成手段と、この像形成手段から出力される１ライン毎の主走査方向の同期を得るための水平同期信号と副走査方向の同期を得るための副走査方向同期信号とから、前記水平同期信号に同期して１ライン毎に遅延した副走査方向同期信号を生成する生成手段と、予め設定された設定値に基づいて、上記生成手段で生成された１ライン毎に遅延した副走査方向同期信号のうちの１つを選択する選択手段と、この選択手段で選択された副走査方向同期信号に基づいて上記記憶手段から上記像形成手段に有効画像情報を読み出す制御を行う制御手段とから構成されている。
【００１５】
この発明の画像形成方法は、原稿の画像を読取って記憶手段に記憶し、この記憶手段に記憶された画像情報を読み出して像形成手段で媒体上に画像を形成する画像形成方法であって、上記原稿の画像が読取られた画像情報を加工して有効画像情報のみを出力し、この出力された有効画像情報を上記記憶手段に記憶し、上記像形成手段から出力される主走査方向の同期を得るための水平同期信号と副走査方向の同期を得るための副走査方向同期信号とから、前記水平同期信号に同期して遅延する副走査方向同期信号を生成し、予め設定された設定値に基づいて、上記生成された副走査方向同期信号のうちの１つを選択し、この選択された副走査方向同期信号に基づいて上記記憶手段から上記像形成手段に有効画像情報を読み出す制御を行うようにしたことを特徴とする。
【００１６】
この発明の画像形成方法は、原稿の画像を読取って記憶手段に記憶し、この記憶手段に記憶された画像情報を読み出して像形成手段で媒体上に画像を形成する画像形成方法であって、上記原稿の画像が読取られた画像情報を加工して有効画像情報のみを出力し、この出力された有効画像情報を上記記憶手段に記憶し、上記像形成手段から出力される主走査方向の同期を得るための水平同期信号と副走査方向の同期を得るための副走査方向同期信号とから、前記水平同期信号に同期して１クロックづつ遅延した副走査方向同期信号を生成し、予め設定された設定値に基づいて、上記生成された１クロックづつ遅延した副走査方向同期信号のうちの１つを選択し、この選択された副走査方向同期信号に基づいて上記記憶手段から上記像形成手段に有効画像情報を読み出す制御を行うようにしたことを特徴とする。
【００１７】
この発明の画像形成方法は、原稿の画像を読取って記憶手段に記憶し、この記憶手段に記憶された画像情報を読み出して像形成手段で媒体上に画像を形成する画像形成方法であって、上記原稿の画像が読取られた画像情報を加工して有効画像情報のみを出力し、この出力された有効画像情報を上記記憶手段に記憶し、上記像形成手段から出力される１ライン毎の主走査方向の同期を得るための水平同期信号と副走査方向の同期を得るための副走査方向同期信号とから、前記水平同期信号に同期して１ライン毎に遅延した副走査方向同期信号を生成し、予め設定された設定値に基づいて、上記生成された１ライン毎に遅延した副走査方向同期信号のうちの１つを選択し、この選択された副走査方向同期信号に基づいて上記記憶手段から上記像形成手段に有効画像情報を読み出す制御を行うようにしたことを特徴とする。
【００１８】
【発明の実施の形態】
以下、この発明の一実施の形態について図面を参照して説明する。
図２は、この発明の画像形成装置の一例としてデジタル複写機の概略構成を示すものである。すなわち、本デジタル複写機は、大別して、原稿の画像情報を光学的に読取るための読取手段としてのスキャナ部１、および、このスキャナ部１で読取られ、あるいは、図示しない外部装置から供給される画像信号に応じて、電子写真方式により用紙（媒体）上に画像形成を行なう画像形成手段としてのプリンタ部２から構成されている。
【００１９】
スキャナ部１は、複写すべき原稿が載置される原稿台６１、原稿台６１上に載置された原稿を押える開閉自在なプラテンカバー６２、原稿台６１上に載置された原稿を照明する光源としての蛍光灯６３、蛍光灯６３からの光照射による原稿からの反射光を光電変換する光電変換手段としてのＣＣＤ形ラインセンサ６４を有している。なお、蛍光灯６３には、その管壁を一定温度に加熱するための加熱手段としての図示しないランプヒータが設置されている。また、原稿台６１には、原稿を載置するプラテンガラス６５と原稿を突き当てて原稿位置を測る原稿スケール６６とが設けられている。
【００２０】
蛍光灯６３の側方には、蛍光灯６３からの光を原稿に効率良く収束させるためのリフレクタ６７が配設されている。また、蛍光灯６３とラインセンサ６４との間には、原稿からラインセンサ６４へ向かう光、すなわち、原稿からの反射光が通過される光路を折曲げるための複数のミラー６８、６９、７０、および、上記反射光をラインセンサ６４の受光面に集束させるためのレンズユニット７１などが配設されている。
【００２１】
そして、原稿台６１上に載置された原稿は、蛍光灯６３、および、ミラー６８〜７０からなる走査系が原稿台６１の下面に沿って矢印ａ方向に往復動移動することにより、その往復時に露光走査されるようになっている。この場合、ミラー６９、７０は光路長を保持するように、ミラー６８の１／２の速度にて移動するようになっている。
【００２２】
上記走査系の走査による原稿からの反射光、つまり、蛍光灯６３の光照射による原稿からの反射光は、ミラー６８〜７０によって反射された後、レンズユニット７１を通り、ラインセンサ６４に導かれ、原稿の像がラインセンサ６４の受光面に結像されるようになっている。
【００２３】
なお、蛍光灯６３、ラインセンサ６４、ミラー６８〜７０、および、レンズユニット７１によって走査ユニット７２が構成されている。そして、蛍光灯６３、リフレクタ６７、および、ミラー６８は第１キャリッジ７３に設けられ、ミラー６９，７０は第２キャリッジ７４に設けられ、これらのキャリッジ７３，７４はそれぞれ図示しないモータによって移動されるようになっている。
【００２４】
プリンタ部２は、円筒状であって、図示しないモータなどによって所望の方向に回転可能に構成され、所望の電位に帯電されるとともに、プリントデータに応じて変調されたビーム光が照射されることにより静電潜像が形成される像担持体としての感光体ドラム８０を有している。
【００２５】
感光体ドラム８０の周囲には、感光体ドラム８０の表面を帯電する帯電装置８１、感光体ドラム８０の表面に、複写あるいは出力すべき画像情報としてのプリントデータに応じて変調されたレーザビーム光としてのビーム光を出力する半導体レーザ５ａを有するレーザユニット８２、レーザユニット８２からのビーム光によって感光体ドラム８０上に形成された静電潜像を、それにトナーを付着せしめることで現像する現像装置８３、現像された感光体ドラム８０上のトナー像を、給紙部８４から供給される用紙上に転写する転写装置８５、および、感光体ドラム８０上に吸着した用紙を剥離する剥離装置８６などが順に配設されている。
【００２６】
感光体ドラム８０の周囲であって、剥離装置８６よりも後流側には、感光体ドラム８０の表面に残ったトナーを除去するクリーナユニット８７、および、感光体ドラム８０上の電位を次の画像形成のために消去する消去装置８８が順に配設されている。
【００２７】
現像装置８３と転写装置８５との間には、感光体ドラム８０上に形成されたトナー像を転写するための用紙を、感光体ドラム８０と転写装置８５との間に向かって供給する給紙部８４が設けられている。
【００２８】
給紙部８４から供給される用紙は、１枚だけ分離されて給送され、ペーパーストップスイッチ100 に検知されてから所定時間後に給送が一旦中断される。この所定時間は、給送される用紙がアライニングローラ対101 のニップ部に先端が突き当たって整位されるまでの時間である。
【００２９】
その後、後述する感光体ドラム８０上に形成される画像と同期するようにプリンタＣＰＵ１４が割込信号を出力するとアライニングローラ対101 が回転を再開して感光体ドラム８０と転写装置８５との間に用紙が搬送され、用紙の所定位置に感光体ドラム８０上に形成されたトナー像が転写される。
【００３０】
剥離装置８６の後段であって、トナー像が転写された用紙が感光体ドラム８０から剥離装置８６で剥離される方向には、用紙にトナー像を定着させるための定着装置９０、および、剥離装置８６で剥離された用紙を定着装置９０に向かって搬送するための搬送装置９１が配設されている。
【００３１】
定着装置９０でトナー像が定着された用紙は、排紙ローラ９２によって排紙トレイ９３に排出されるようになっている。
図３は、上記デジタル複写機の制御系の概略構成を示すものである。すなわち、本装置は、主ＣＰＵ１１、コンパネＣＰＵ１２、スキャナＣＰＵ１３、及びプリンタＣＰＵ１４によって制御されている。
【００３２】
主ＣＰＵ１１は、コンパネＣＰＵ１２、スキャナＣＰＵ１３、及びプリンタＣＰＵ１４と通信を行ってこれらを制御している。
コンパネＣＰＵ１２は、ＲＯＭ１５とＲＡＭ１６とに接続され、これらのデータをもとに選択手段としてのコントロールパネル１７上のスイッチの検知、ＬＥＤの点灯、消灯、表示器の制御等を行っている。
【００３３】
スキャナＣＰＵ１３は、主ＣＰＵ１１との通信によりコントロールされており、ＲＯＭ２１、ＲＡＭ２２のデータをもとに、ＣＣＤ形ラインセンサ１４、図示しないモータ、ソレノイド等のメカコン等２３の制御、オートドキュメントフィーダ２４、座標入力装置としてのエディタ２５、変換手段としてのアナログデジタル変換回路２６、シェーディング補正回路２７、ラインメモリ２８等の制御を行っている。
【００３４】
プリンタＣＰＵ１４は、主ＣＰＵ１１との通信によりコントロールされており、ＲＯＭ３１、ＲＡＭ３２のデータをもとに、図示しないモータ、ソレノイド等のメカコン等３３の制御、ソータ３４、ＬＣＦ（LARGE CAPACITY FEEDER ）３５、レーザ変調回路３６、レーザドライブ回路３７等の制御を行っている。
【００３５】
主ＣＰＵ１１には、ＲＯＭ４１、ＲＡＭ４２、データ切り替え及びバッファメモリ４３、画像処理部４４、圧縮伸張回路４５、ページメモリ回路４６、ディスプレイ４７、ディスプレイメモリ４８、パーソナルコンピュータ（以下、パソコンと記述する）４９、プリンタコントローラ５０、ディスプレイフォントＲＯＭ５１、プリントフォントＲＯＭ５２、圧縮メモリ５３、ハードディスクドライブ５４、光ディスクドライブ５５、ファクシミリアダプタ５６、及びＩ／Ｆコントローラ５７が接続されている。
【００３６】
ＲＯＭ４１は、主ＣＰＵ１に関する予め決められている動作のプログラムが記憶されている。
ＲＡＭ４２は、ＲＯＭ４１および主ＣＰＵ１によって規定されたデータなどが記憶される。
【００３７】
データ切り替え及びバッファメモリ４３は、スキャナ部１で読取った画像データをどこへ送るか、また、プリンタ部２へはどのデータを送るのかの切り替え及びバッファリングを行う。また、データ切り替え及びバッファメモリ４３には、詳しくは後述するがメモリＩ／Ｆ部３が設けられている。
【００３８】
画像処理部４４は、画像データに対して画像処理を行う。
圧縮伸張回路４５は、画像データの圧縮伸張を行う。
ページメモリ回路４６は、記憶手段として画像データをページ毎に蓄える。
【００３９】
ディスプレイメモリ４８は、ディスプレイ４７上への表示する画像データを記憶する。
プリンタコントローラ５０は、パソコン４９から供給されるコードデータを上記プリンタ部２を介して印字（出力）可能な画像データに展開する。
【００４０】
ディスプレイフォントＲＯＭ５１は、ディスプレイメモリ４８に利用されるフォントデータが記憶されているメモリである。
プリントフォントＲＯＭ５２は、ページメモリ４６にパソコン４９からの印字データおよび所望の入力に対応する数字あるいは記号などを記憶させる。
【００４１】
圧縮メモリ５３は、圧縮伸張回路４５により圧縮されたデータを蓄える。
図１は、この発明の画像形成装置に係るデジタル複写機の主要構成を示すものである。
【００４２】
すなわち、このデジタル複写機の主要構成は、スキャナ部１、スキャナＣＰＵ１３、プリンタ部２、プリンタＣＰＵ１４、画像処理部４４、メモリＩ／Ｆ部３、ページメモリ４６、主ＣＰＵ１１、及びコンパネＣＰＵ１２よりなる。また、メモリＩ／Ｆ部３には、プリントデータ開始信号加工部４が設けられている。
【００４３】
プリンタＣＰＵ１４は、スキャナ部１のスキャナＣＰＵ１３、メモリＩ／Ｆ部３に接続されている。
画像処理部４４は、スキャナ部１、主ＣＰＵ１１、メモリＩ／Ｆ部３を介してページメモリ４６と接続されている。
【００４４】
通常コピー時におけるスキャナ部１から出力された画像データ（情報）は、画像処理部４４に入り、メモリＩ／Ｆ部３を素通りしてプリンタ部２へ入力されて画像形成される。
【００４５】
メモリコピー時における画像データ（情報）は、画像処理部４４に入り、メモリＩ／Ｆ部３を経てページメモリ４６へ入力される。また、一旦ページメモリ４６に蓄えられた画像データは、プリンタ部２からのプリント開始信号、及び副走査ライン同期信号に同期して出力され、プリンタ部２へ入力されて画像形成される。
【００４６】
図４は、メモリＩ／Ｆ部３の概略構成を示すものである。すなわち、メモリＩ／Ｆ部３には、画像処理部４４より副走査有効信号ＶＤＥＮ０、主走査有効信号ＨＤＥＮ０、画像データＤＡＴＸ１が入力される。入力された各信号ＶＤＥＮ０，ＨＤＥＮ０は、メモリＩ／Ｆ部３内にて加工されて副走査有効信号ＥＶＤＥＮ０、及び主走査有効信号ＥＨＤＥＮ０に変換されてページメモリ４６に出力される。
【００４７】
図５は、副走査有効信号と主走査有効信号の有効範囲を示すもので、従来はこの副走査有効信号ＶＤＥＮ０と主走査有効信号ＨＤＥＮ０とが、スキャナ部１で読込む原稿と同じ領域を示す信号となっていたため、余白部分のデータもメモリ内に取り込んでいた。
【００４８】
本発明においては、図５に示すようにスキャナ部１の原稿読込み領域である副走査有効信号ＶＤＥＮ０，主走査有効信号ＨＤＥＮ０とが、メモリＩ／Ｆ部３内にて加工されて副走査有効信号ＥＶＤＥＮ０，主走査有効信号ＥＨＤＥＮ０として有効範囲Ａのみの画像データがページメモリ４６に蓄えられる。
【００４９】
このように、メモリを有効に使用できるページメモリ４６内に蓄えられた画像データは、副走査有効信号ＭＶＤＥＮ０，主走査有効信号ＭＨＤＥＮ０の制御信号によって制御され、ＭＤＡＴ１画像データがメモリＩ／Ｆ部３に出力され、印字データ信号ＰＤＡＴとしてプリンタ部２へ出力される。
【００５０】
また、メモリＩ／Ｆ部３のプリントデータ開始信号加工部４へプリンタ部２よりＨＳＹＮＣ信号、及びＰＶＤＥＮ０信号が入力されている。ＨＳＹＮＣ信号は、レーザ光学系より発せられるビーム検知信号をもとに作られる水平同期信号で、基本的な主走査方向の同期を得るために用いられる。ＰＶＤＥＮ０信号は紙搬送に伴ないプリンタＣＰＵ１４が発するものであり、副走査方向の同期を得るために用いられる信号である。プリントデータ開始信号加工部４では、ＰＶＤＥＮ０信号をもとにＭＶＤＥＮ０信号を作る。
【００５１】
図６は、プリントデータ開始信号加工部４の構成を示すもので、シフトレジスタ４ａとセレクタ４ｂとから構成されている。
すなわち、プリントデータ開始信号加工部４では、プリンタＣＰＵ１４から出力されるＰＶＤＥＮ０信号、ＨＳＹＮＣ信号がシフトレジスタ４ａへ入力され、ＰＶＤＥＮ０信号はＨＳＹＮＣ信号に同期して遅れてゆき、また、ＨＳＹＮＣ信号１クロック遅れづつの出力はセレクタ４ｂへ入力される。セレクタ４ｂでは、主ＣＰＵ１１からの設定により、入力されて遅延されたＰＶＤＥＮ０信号を任意に選択することができる。この場合の任意の選択は、コントロールパネル１７からの設定入力に基づいてコンパネＣＰＵ１２を介して主ＣＰＵ１１がセレクタ４ｂに対して設定したものである。
【００５２】
図７は、図６の回路構成によって生成されるＭＶＤＥＮ０信号のタイミングチャートを示すものである。例として、主ＣＰＵ１１からの設定データＳＨＤＴ（シフトデータ）が「８」、「３２」の場合を示してある。すなわち、図７の（ａ）に示すようなＰＶＤＥＮ０信号と、図７の（ｂ）に示すようなＨＳＹＮＣ０信号とがシフトレジスタ４ａに入力される。
【００５３】
主ＣＰＵ１１からの設定データＳＨＤＴ＝８の場合、シフトレジスタ４ａに入力されたＰＶＤＥＮ０信号がＨＳＹＮＣ０信号に同期して遅れてゆき、８クロック目で図７の（ｃ）に示すようにセレクタ４ｂからＭＶＤＥＮ０信号が出力される。
【００５４】
また、主ＣＰＵ１１からの設定データＳＨＤＴ＝３２の場合、シフトレジスタ４ａに入力されたＰＶＤＥＮ０信号がＨＳＹＮＣ０信号に同期して遅れてゆき、３２クロック目で図７の（ｄ）に示すようにセレクタ４ｂからＭＶＤＥＮ０信号が出力される。
【００５５】
図８は従来の制御を示したもので、ＰＶＤＥＮ０信号は、プリンタＣＰＵ１４のＣＰＵタイマによって生成される一定周期割込み（例えば５msec）によって出力されるので、この割込み周期の精度によって印字位置精度が決まっていた。
【００５６】
従って、図７を参照して説明したように、ＨＳＹＮＣ０周期の刻みを用いることにより、１ライン毎の制御が可能となる。
このようにメモリＩ／Ｆ部３内では、ＭＶＤＥＮ０信号を１ライン単位で制御できるようになる。
【００５７】
１ライン単位とは、プリンタ部２の持つ解像度と１対１に対応し、例えば、４００ｄｐｉの時は０．０６３５ｍｍステップ、６００ｄｐｉ時には０．０４２３ｍｍステップの刻みとなる。
【００５８】
選択された信号は、ＭＶＤＥＮ０信号として出力され、ページメモリ４６へ入力される。
ページメモリ４６ではこのＭＶＤＥＮ０信号を開始信号として画像データを送り出し、プリンタ部２の感光体ドラム８０上に画像が形成されるが、上述したプリンタＣＰＵ１４のＣＰＵタイマによって生成されるＰＶＤＥＮ０信号に同期して給紙部８４からの給紙タイミングが制御されている。
【００５９】
すなわち、給紙部８４から供給される用紙は、１枚だけ分離されて給送され、ペーパーストップスイッチ100 に検知されてから所定時間後に給送が一旦中断されて給送される用紙がアライニングローラ対101 のニップ部に先端が突き当たって整位される。その後、プリンタＣＰＵ１４で生成されるＰＶＤＥＮ０信号に同期してアライニングローラ対101 が回転を再開して感光体ドラム８０と転写装置８５との間に用紙が搬送され、用紙の所定位置に感光体ドラム８０上に形成されたトナー像が転写される。
【００６０】
以上説明したように上記発明の実施の形態によれば、従来、ＣＰＵの割込み時間等によって決まる精度（紙搬送精度）のため、正確に制御できなかった余白幅を精度良く制御することができるようになる。これによってメモリコピー時、コピーとコピーを行った時に生じるずれを抑えることができる。
【００６１】
【発明の効果】
以上詳述したようにこの発明によれば、メモリ蓄積容量を減らすことができると共に、メモリコピー時の画像余白を精度良く行うことのできる画像形成装置を提供することができる。
【図面の簡単な説明】
【図１】この発明の画像形成装置に係るデジタル複写機の主要構成を示すブロック図。
【図２】デジタル複写機の概略構成を示す図。
【図３】デジタル複写機の制御系の概略構成を示す図。
【図４】メモリＩ／Ｆ部の概略構成を示す図。
【図５】副走査有効信号と主走査有効信号の有効範囲を説明するための図。
【図６】プリントデータ開始信号加工部の構成を示す図。
【図７】ＭＶＤＥＮ０信号が生成されるタイミングチャート。
【図８】プリンタＣＰＵで生成されるＰＶＤＥＮ０信号のタイミングチャート。
【符号の説明】
１…スキャナ部
２…プリンタ部
３…メモリＩ／Ｆ部
４…プリントデータ開始信号加工部
１１…主ＣＰＵ
１２…コンパネＣＰＵ
１３…スキャナＣＰＵ
１４…プリンタＣＰＵ
４４…画像処理部
４６…ページメモリ
100 …ペーパーストップスイッチ
101 …アライニングローラ
【図１】
0003723268.tif 000002
【図２】
0003723268.tif 000003
【図３】
0003723268.tif 000004
【図４】
0003723268.tif 000005
【図５】
0003723268.tif 000006
【図６】
0003723268.tif 000007
【図７】
0003723268.tif 000008
【図８】
0003723268.tif 000009